(57)【要約】【課題】表示画面を縦長と横長との間で回転させても利用者自身の視認性を損なうことなく可視角を有効に制限することができる可視角制限表示装置、可視角制限フィルム構造体および携帯装置を提供する。【解決手段】一方の辺が他方より長い矩形状の表示画面を有する可視角制限表示装置が、表示画面上に設けられた透明フィルム１０１と、透明フィルム上に設けられ単一の可視方向を有する２枚の可視角制限フィルム１０３ａ、１０３ｂと、透明フィルムの１対の角部に設けられた軸１０２ａ、１０２ｂと可視角制限フィルム１０３ａ、１０３ｂの各々とを、軸を中心にそれぞれの可視方向１０５ａ、１０５ｂが独立して回転可能となるように連結する連結手段１０４ａ、１０４ｂと、を有する。【選択図】図２
2010256521.tif 000002
【特許請求の範囲】
【請求項１】
一方の辺が他方より長い矩形状の表示画面を有する可視角制限表示装置であって、
前記表示画面上に設けられた透明フィルムと、
前記透明フィルム上に設けられ、それぞれ単一の可視方向を有する２枚の可視角制限フィルムと、
前記透明フィルムの１対の角部に設けられた軸と前記可視角制限フィルムの各々とを、前記軸を中心にそれぞれの可視方向が独立して回転可能となるように連結する連結手段と、
を有することを特徴とする可視角制限表示装置。
【請求項２】
前記可視角制限フィルムの各々は、前記軸を中心に可視方向が９０°回転可能であることを特徴とする請求項１に記載の可視角制限表示装置。
【請求項３】
前記連結手段は、前記可視角制限フィルムの各々に設けられた軸受けスリットに前記軸をそれぞれ貫通させ、前記可視角制限フィルムを回動可能に連結することを特徴とする請求項１または２に記載の可視角制限表示装置。
【請求項４】
前記連結手段は、前記可視角制限フィルムの各々の角部を前記軸に裏返し可能に連結することを特徴とする請求項１または２に記載の可視角制限表示装置。
【請求項５】
一方の辺が他方より長い矩形状の表示画面を有する表示部に取り付ける可視角制限フィルム構造体であって、
前記表示画面を覆うための透明フィルムと、
前記透明フィルム上に設けられ、それぞれ単一の可視方向を有する２枚の可視角制限フィルムと、
前記透明フィルムの１対の角部に設けられた軸と前記可視角制限フィルムの各々とを、前記軸を中心にそれぞれの可視方向が独立して回転可能となるように連結する連結手段と、
を有することを特徴とする可視角制限フィルム構造体。
【請求項６】
前記可視角制限フィルムの各々は、前記軸を中心に可視方向が９０°回転可能であることを特徴とする請求項５に記載の可視角制限フィルム構造体。
【請求項７】
前記連結手段は、前記可視角制限フィルムの各々に設けられた軸受けスリットに前記軸をそれぞれ貫通させ、前記可視角制限フィルムを回動可能に連結することを特徴とする請求項５または６に記載の可視角制限フィルム構造体。
【請求項８】
前記連結手段は、前記可視角制限フィルムの各々の角部を前記軸に裏返し可能に連結することを特徴とする請求項５または６に記載の可視角制限フィルム構造体。
【請求項９】
一方の辺が他方より長い矩形状の表示部を有する携帯装置であって、
前記表示部上に設けられた透明フィルムと、
前記透明フィルム上に設けられ、それぞれ単一の可視方向を有する２枚の可視角制限フィルムと、
前記透明フィルムの１対の角部に設けられた軸と前記可視角制限フィルムの各々とを、前記軸を中心にそれぞれの可視方向が独立して回転可能となるように連結する連結手段と、
を有することを特徴とする携帯装置。
【請求項１０】
前記可視角制限フィルムの各々は、前記軸を中心に可視方向が９０°回転可能であることを特徴とする請求項９に記載の携帯装置。
【請求項１１】
前記連結手段は、前記可視角制限フィルムの各々に設けられた軸受けスリットに前記軸をそれぞれ貫通させ、前記可視角制限フィルムを回動可能に連結することを特徴とする請求項９または１０に記載の携帯装置。
【請求項１２】
前記連結手段は、前記可視角制限フィルムの各々の角部を前記軸に裏返し可能に連結することを特徴とする請求項９または１０に記載の携帯装置。
【発明の詳細な説明】
【技術分野】
【０００１】
本発明は可視角を制限するフィルムを用いた表示装置、可視角制限フィルム構造体およびそれを用いた携帯装置に関する。
【背景技術】
【０００２】
携帯電話端末や携帯情報通信端末あるいは各種電子機器の表示画面を周囲から覗き見られることを防止するために、表示部にルーバーフィルムと称する光学的に半透過性のフィルムを貼り付ける場合がある。ルーバーフィルムはルーバーと呼ばれる微細な長い格子状の構造を有し、フィルムの法線方向およびルーバーに平行な方向の光を透過し、それ以外の方向の光を遮断する特性を有する。この特性を利用することで、一般に覗き見防止フィルムと呼ばれる製品が市販されている。
【０００３】
たとえば、図１（Ａ）および（Ｂ）に示すように、携帯電話端末の筐体１０に搭載された表示部上に、表示画面の縦方向とルーバー遮光層が伸びている方向（以下、ルーバー方向あるいは可視方向という。）とを一致させたルーバーフィルムを装着しているものとする。この場合、図１（Ａ）に示すように、画面の正面および上下方向から見れば表示画面が可視となるが、図１（Ｂ）に示すように左右方向からは不可視となる（特許文献１参照）。
【０００４】
また、特許文献１あるいは特許文献２には、ルーバーをメッシュ状に形成することで、表示面の前方において上下左右方向或いは前後左右方向の全ての方向に関して可視角を制限する表示装置が開示されている。
【先行技術文献】
【特許文献】
【０００５】
【特許文献１】特開２０００−３５２９３６号公報
【特許文献２】特開２００８−３０４５６８号公報
【発明の概要】
【発明が解決しようとする課題】
【０００６】
しかしながら、近年、表示部が９０°または１８０°回転し、縦長の画面を横長に変更できる携帯通信端末が普及し始めている。この場合、画面表示部の縦方向に固定されたルーバーフィルムでは、図１（Ｃ）に示すように、表示部１０が９０°回転することでルーバー方向（可視方向）もまた９０°回転し、画面の左右方向から画面が可視となってしまう。
【０００７】
この解決策としては、上記特許文献１および２に開示されているように、上下左右の全方向で可視角を制限することも可能であるが、このような全方向で可視角を制限すると、使用者自身の可視範囲も同じく全方向で制限されてしまい、表示画面が見にくくなるという問題がある。特に、使用者ではない第三者が携帯画面端末を覗き見るのは多くの場合左右方向からであり、使用者にとっては上下方向からは画面が可視であることが望ましい。
【０００８】
また、覗き見防止フィルムを表示部に固定せず、画面の回転から独立させることも考えられるが、画面の縦横の比率が異なるため、画面と同等の大きさのフィルムでは、画面の一部分はフィルムが覆い隠す範囲からはみ出す。フィルムからはみ出した部分に表示された内容は周囲から可視となる。またフィルムの大きさを、画面を回転しても画面全体を覆い隠すのに充分な大きさとすれば、携帯電話端末よりも大きくなるため、機器の利便性や携帯性を損なう不都合がある。
【０００９】
そこで、本発明の目的は、表示画面を縦長と横長との間で回転させても利用者自身の視認性を損なうことなく可視角を有効に制限することができる可視角制限表示装置、可視角制限フィルム構造体および携帯装置を提供することにある。
【課題を解決するための手段】
【００１０】
本発明による可視角制限表示装置は、一方の辺が他方より長い矩形状の表示画面を有する可視角制限表示装置であって、前記表示画面上に設けられた透明フィルムと、前記透明フィルム上に設けられ、それぞれ単一の可視方向を有する２枚の可視角制限フィルムと、前記透明フィルムの１対の角部に設けられた軸と前記可視角制限フィルムの各々とを、前記軸を中心にそれぞれの可視方向が独立して回転可能となるように連結する連結手段と、を有することを特徴とする。
【００１１】
本発明による可視角制限フィルム構造体は、一方の辺が他方より長い矩形状の表示画面を有する表示部に取り付ける可視角制限フィルム構造体であって、前記表示画面を覆うための透明フィルムと、前記透明フィルム上に設けられ、それぞれ単一の可視方向を有する２枚の可視角制限フィルムと、前記透明フィルムの１対の角部に設けられた軸と前記可視角制限フィルムの各々とを、前記軸を中心にそれぞれの可視方向が独立して回転可能となるように連結する連結手段と、を有することを特徴とする。
【００１２】
本発明による携帯装置は、一方の辺が他方より長い矩形状の表示部を有する携帯装置であって、前記表示部上に設けられた透明フィルムと、前記透明フィルム上に設けられ、それぞれ単一の可視方向を有する２枚の可視角制限フィルムと、前記透明フィルムの１対の角部に設けられた軸と前記可視角制限フィルムの各々とを、前記軸を中心にそれぞれの可視方向が独立して回転可能となるように連結する連結手段と、を有することを特徴とする。
【発明の効果】
【００１３】
本発明によれば、表示画面を縦長と横長との間で回転させても利用者自身の視認性を損なうことなく可視角を有効に制限することができる。
【図面の簡単な説明】
【００１４】
【図１】（Ａ）は一般的な覗き見防止フィルムを画面表示部(縦画面)に装着した携帯通信端末の平面図であり、（Ｂ）はそれを斜め横方向から見たときに表示部画面が隠される様子を模式的に示す斜視図であり、（Ｃ）は回転式の表示部に一般的な覗き見防止フィルムを装着した携帯通信端末の平面図である。
【図２】本発明の第一実施形態による可視角制限表示装置の概略構成を示す平面図である。
【図３】（Ａ）は本実施形態による可視角制限表示装置を縦画面で使用する場合の携帯端末の一例を示す模式図であり、（Ｂ）は可視角制限表示装置を横画面で使用する場合の携帯端末の一例を示す模式図である。
【図４】本発明の第二実施形態による可視角制限表示装置の概略構成を示す平面図である。
【発明を実施するための形態】
【００１５】
以下、本発明を実施するための形態について図面を参照して詳細に説明する。なお、本発明は、以下に述べる実施形態により限定されるものではない。
【００１６】
１．第一実施形態
１．１）構成
図２において、携帯端末の表示部は辺の長さが異なる矩形状の表示画面を有するものとする。この表示画面を覆うように全方向で光を透過する透明フィルム１０１が装着され、透明フィルム１０１の対角の位置に２つの軸１０２ａおよび１０２ｂが表示部に固定されて配置されている。透明フィルム１０１は、表示部上に静電気や大気圧や粘着剤その他の作用によって接着固定されうる。または着脱可能に装着されてもよい。さらに、透明フィルム１０１の上に、少なくとも表示画面全体を覆い隠すように、２枚のルーバーフィルム（可視角制限フィルム）１０３ａおよび１０３ｂが軸１０２ａおよび１０２ｂを通してそれぞれ回動可能に取り付けられている。なお、ここではルーバーフィルム１０３ａおよび１０３ｂはそれぞれ略矩形状を有し、２枚を整列させることで透明フィルム１０１の全体が覆われるものとする。
【００１７】
詳しくは、ルーバーフィルム１０３ａの一方の辺に軸受けスリット１０４ａが形成され、当該軸受けスリット１０４ａに軸１０２ａが貫通してルーバーフィルム１０３ａが移動可能に連結される。この連結手段により、ルーバーフィルム１０３ａは、透明フィルム１０１上で、軸１０２ａに対して軸受けスリット１０４ａに沿って相対的に摺動可能であり、かつ、軸１０２ａを中心として回転可能である（以下、このような摺動および回転を回動という。）。
【００１８】
同様に、ルーバーフィルム１０３ｂの一方の辺に軸受けスリット１０４ｂが形成され、当該軸受けスリット１０４ｂに軸１０２ｂが貫通してルーバーフィルム１０３ｂが移動可能に連結される。この連結手段により、ルーバーフィルム１０３ｂは、透明フィルム１０１上で、軸１０２ｂに対して軸受けスリット１０４ｂに沿って相対的に摺動可能であり、かつ、軸１０２ｂを中心として回転可能である。
【００１９】
ここでは、ルーバーフィルム１０３ａのルーバー方向（可視方向：ルーバー遮光層が伸びている方向）１０５ａが軸受けスリット１０４ａの長手方向と直交する方向に、ルーバーフィルム１０３ｂのルーバー方向１０５ｂが軸受けスリット１０４ｂの長手方向と直交する方向に、それぞれ設定されているものとする。周知のように、ルーバーフィルムはルーバー方向と直交する方向で可視角が制限される。したがって、表示画面の中心位置の法線上からルーバー方向およびそれに直交する方向の所定範囲（表示画面相当の範囲）の視野で表示画面を見ることができるように設定しておけば、ルーバー方向と直交する方向の所定範囲を外れる視野では表示画面が隠される。
【００２０】
なお、ルーバーフィルム１０３ａおよび１０３ｂのそれぞれのルーバー方向（可視方向）は独立して回転可能であればよいので、２つの軸１０２ａおよび１０２ｂを透明フィルム１０１の対角位置の角部だけでなく、長手方向の一対の角部に設けることも可能である。
【００２１】
このように２枚のルーバーフィルム１０３ａおよび１０３ｂが透明フィルム１０１上で回動可能に表示部に連結されることで、２枚のルーバーフィルム１０３ａおよび１０３ｂのルーバー方向１０５ａおよび１０５ｂを、表示画面が縦長であるか横長であるかに応じて、左右の方向から表示画面が見えないように適切に変更することが可能となる。ルーバーフィルム１０３ａおよび１０３ｂが回動する際、透明フィルム１０１が介在することで、ルーバーフィルムの摺動による表示部表面の損傷を防止できる。
【００２２】
なお、図２に示すような透明フィルム１０１と、ルーバーフィルム１０３ａおよび１０３ｂと、軸１０２ａおよび１０２ｂとを枠構造で一体化した可視角制限フィルム構造体を構成し、携帯通信端末の画面表示部に装着することで、画面表示部の可視角を表示部の回転に応じて制御することも可能である。
【００２３】
１．２）動作
図３に示すように、本実施形態による表示装置を搭載した携帯通信端末は、表示部ハウジング１００の向きが操作部ハウジング２００に対して９０°回転可能であるものとする。表示部ハウジング１００の表示装置には、上述したように、表示画面を覆うように透明フィルム１０１が装着され、透明フィルム１０１の対角の位置に２つの軸１０２ａおよび１０２ｂが表示部に固定され、透明フィルム１０１の上に、ルーバーフィルム１０３ａおよび１０３ｂが軸受けスリット１０４ａおよび１０４ｂに軸１０２ａおよび１０２ｂをそれぞれ通して回動可能に取り付けられている。
【００２４】
図３（Ａ）に示すように、携帯通信端末の画面表示部を縦画面で使用する場合、ルーバーフィルム１０３ａおよび１０３ｂのルーバー方向が縦方向となるように、ルーバーフィルム１０３ａおよび１０３ｂをそれぞれ回動する。ここで携帯通信端末の画面表示部の長手方向が携帯通信端末の長手方向と一致する場合、言い換えれば先端部分が上あるいは下を向く形で使用する場合を縦長画面と定義する。この場合、画面の左右方向には光が透過せず、左右方向からの視認が遮断される。すなわち左右方向から携帯通信端末の画面表示部に表示された内容を見られなくしている。
【００２５】
次に、図３（Ｂ）に示すように、携帯通信端末の画面表示部を横画面で使用する場合、ルーバーフィルム１０３ａおよび１０３ｂのルーバー方向が縦になるようにルーバーフィルムを回動する。ここで携帯通信端末の画面表示部の先端部分が右あるいは左を向く形で使用する場合を横長画面と定義する。横長画面であってもルーバーフィルム１０３ａおよび１０３ｂのルーバー方向は縦方向であるから、画面の左右方向には光が透過せず、左右方向からの視認が遮断される。すなわち左右方向から携帯通信端末の画面表示部に表示された内容を見られなくしている。
【００２６】
１．３）効果
上述したように、本実施形態によれば、携帯通信端末の画面表示部を縦長画面または横長画面にした両ケースにおいて、ルーバーフィルム１０３ａおよび１０３ｂをそれぞれ回動することで、可視角を制御することができる。すなわち、いずれのケースでもルーバー方向が縦方向となるようにルーバーフィルムを回動させることで、画面表示部の左右方向からの可視角を遮断することが可能になる。
【００２７】
２．第二実施形態
本発明は、図２に示すような可視角制限フィルム回動機構に限定されるものではなく、可視角制限フィルムを裏返し可能に装着することで同様の効果を得ることができる。
【００２８】
図４に示すように、表示部上に表示画面を覆うように透明フィルム１０１が装着され、透明フィルム１０１上に２枚のルーバーフィルム（可視角制限フィルム）３０１ａおよび３０１ｂが軸３０２ａおよび３０２ｂにより支持され、それぞれ裏返し可能に取り付けられている。軸３０２ａおよび３０２ｂは表示部に固定されて配置されている。なお、ここではルーバーフィルム３０１ａおよび３０１ｂがそれぞれ略矩形状を有し、２枚を整列させることで透明フィルム１０１の全体が覆われるものとする。
【００２９】
詳しくは、ルーバーフィルム３０１ａの１つの角部が軸３０２ａに連結される。この連結手段により、ルーバーフィルム３０１ａは軸３０２ａを中心として透明フィルム１０１に対して開き、矢印３０３で示すように裏返し、そして透明フィルム１０１に対して閉じることができる。これにより、ルーバーフィルム３０１ａのルーバー方向を９０°回転させることができる。同様に、ルーバーフィルム３０１ｂの１つの角部が軸３０２ｂに連結される。この連結手段により、ルーバーフィルム３０１ｂは軸３０２ｂを中心として透明フィルム１０１に対して開いて裏返し、そして透明フィルム１０１に対して閉じることができる。これにより、ルーバーフィルム３０１ｂのルーバー方向を９０°回転させることができる。
【００３０】
このように構成することで、２枚のルーバーフィルム３０１ａおよび３０１ｂのルーバー方向を、表示画面が縦長であるか横長であるかに応じて、左右の方向から表示画面が見えないように適切に変更することが可能となる。このような可視角制限フィルムであるルーバーフィルム３０１ａおよび３０１ｂを携帯通信端末の画面表示部に装着することで、画面表示部の可視角を表示部の回転に応じて制御することができる。
【００３１】
本実施形態によれば、携帯通信端末の画面表示部を縦長画面または横長画面にした両ケースにおいて、ルーバーフィルム３０１ａおよび３０１ｂを裏返すことで、可視角を制御することができる。すなわち、いずれのケースでもルーバー方向が縦方向となるようにルーバーフィルムを回動させることで、画面表示部の左右方向からの可視角を遮断することが可能になる。
【産業上の利用可能性】
【００３２】
本発明は、表示部を有する携帯電話端末などの携帯情報機器に適用可能である。
【符号の説明】
【００３３】
１００  表示部ハウジング
１０１  透明フィルム  
１０２ａ、１０２ｂ  軸  
１０３ａ、１０３ｂ  ルーバーフィルム  
１０４ａ、１０４ｂ  軸受けスリット
１０５ａ、１０５ｂ  ルーバー方向
２００  操作部ハウジング
【図１】
2010256521.tif 000003
【図２】
2010256521.tif 000004
【図３】
2010256521.tif 000005
【図４】
2010256521.tif 000006